【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムであって、
前記第１の視聴デバイスは、
前記ホームコンテンツサーバから前記コンテンツを受信する受信部と、
受信した前記コンテンツの再生中に前記ホームコンテンツサーバに対してデバイス切換要求を送信する送信部と、を具備し、
前記ホームコンテンツサーバは、
コンテンツを送信するとともに、前記デバイス切換要求を受信した際に前記第２の視聴デバイスに対してコンテンツ送信要求を送信する送信部と、
送信した前記コンテンツ送信要求に対する応答として前記第２の視聴デバイスからコンテンツ送信許可及び前記第２の視聴デバイスのデバイス情報を受信する受信部と、
前記コンテンツ送信許可及び前記デバイス情報を受信した際に、前記第１の視聴デバイスから前記第２の視聴デバイスに前記コンテンツの配信を切り換える接続デバイス切換部と、
受信した前記デバイス情報に基づいて前記送信部で送信する前記コンテンツのパラメータを変更するコンテンツパラメータ制御部と、を具備し、
前記第２の視聴デバイスは、
前記コンテンツ送信要求及び前記パラメータを変更した前記コンテンツを受信する受信部と、
受信した前記コンテンツ送信要求による要求を許可する場合または前記コンテンツ送信要求を受信してから所定時間経過した場合に、前記コンテンツ送信許可及び前記デバイス情報を送信する送信部と、を具備することを特徴とするマルチメディアコンテンツ提供システム。
【請求項２】
宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムであって、
前記第１の視聴デバイスは、
前記ホームコンテンツサーバから前記コンテンツを受信する受信部と、
受信した前記コンテンツの再生中に前記第２の視聴デバイスに対してデバイス切換要求を送信する送信部と、を具備し、
前記ホームコンテンツサーバは、
前記第２の視聴デバイスから送信されたコンテンツ送信要求及び前記第２の視聴デバイスのデバイス情報を受信した際に、前記第１の視聴デバイスから前記第２の視聴デバイスに前記コンテンツの配信を切り換える接続デバイス切換部と、
受信した前記デバイス情報に基づいて前記コンテンツのパラメータを変更するコンテンツパラメータ制御部と、
前記接続デバイス切換部で切り換えた前記第２の視聴デバイスに対して前記パラメータを変更した前記コンテンツを送信する送信部と、を具備し、
前記第２の視聴デバイスは、
前記デバイス切換要求を受信するとともに前記パラメータを変更した前記コンテンツを受信する受信部と、
受信した前記デバイス切換要求による要求を許可する場合または前記デバイス切換要求を受信してから所定時間経過した場合に、前記コンテンツ送信要求及び前記デバイス情報を送信する送信部と、を具備することを特徴とするマルチメディアコンテンツ提供システム。
【請求項３】
宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるホームコンテンツサーバであって、
コンテンツを送信するとともに、前記第１の視聴デバイスからデバイス切換要求を受信した際に前記第２の視聴デバイスに対してコンテンツ送信要求を送信する送信部と、
送信した前記コンテンツ送信要求に対する応答として前記第２の視聴デバイスからコンテンツ送信許可及び前記第２の視聴デバイスのデバイス情報を受信する受信部と、
前記コンテンツ送信許可及び前記デバイス情報を受信した際に、前記第１の視聴デバイスから前記第２の視聴デバイスに前記コンテンツの配信を切り換える接続デバイス切換部と、
受信した前記デバイス情報に基づいて前記送信部で送信する前記コンテンツのパラメータを変更するコンテンツパラメータ制御部と、
を具備することを特徴とするホームコンテンツサーバ。
【請求項４】
宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるホームコンテンツサーバであって、
前記第２の視聴デバイスからコンテンツ送信要求及び前記第２の視聴デバイスのデバイス情報を受信する受信部と、
前記コンテンツ送信要求及び前記デバイス情報を受信した場合に、前記第１の視聴デバイスから前記第２の視聴デバイスに前記コンテンツの配信を切り換える接続デバイス切換部と、
受信した前記デバイス情報に基づいて前記コンテンツのパラメータを変更するコンテンツパラメータ制御部と、
前記接続デバイス切換部で切り換えた前記第２の視聴デバイスに対して、前記パラメータを変更した前記コンテンツを送信する送信部と、
を具備することを特徴とするホームコンテンツサーバ。
【請求項５】
宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおける視聴デバイスであって、
コンテンツ送信要求を受信した場合に、前記コンテンツ送信要求による要求を許可または拒否する判断手段と、
前記判断手段で前記要求を許可した場合または前記コンテンツ送信要求を受信してから所定時間経過した場合に、前記ホームコンテンツサーバに対してコンテンツ送信許可及び前記視聴デバイスのデバイス情報を送信する送信部と、
前記コンテンツ送信要求を受信するとともに、送信した前記デバイス情報に応じてパラメータを変更した前記コンテンツを前記ホームコンテンツサーバから受信する受信部と、
を具備することを特徴とする視聴デバイス。
【請求項６】
前記コンテンツ送信要求を受信した際に使用中である場合には、前記ホームコンテンツサーバに対してデバイス切換非許可を送信することを特徴とする請求項５記載の視聴デバイス。
【請求項７】
宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおける視聴デバイスであって、
他の視聴デバイスからデバイス切換要求を受信した場合に、受信した前記デバイス切換要求による要求を許可または拒否する判断手段と、
前記判断手段で前記要求を許可した場合または前記デバイス切換要求を受信してから所定時間経過した場合に、前記ホームコンテンツサーバに対してコンテンツ送信要求及び自装置のデバイス情報を送信する送信部と、
他の視聴デバイスから前記デバイス切換要求を受信するとともに、送信した前記デバイス情報に応じてパラメータを変更した前記コンテンツを前記ホームコンテンツサーバから受信する受信部と、
を具備することを特徴とする視聴デバイス。
【請求項８】
前記コンテンツ送信要求を受信した際に使用中である場合には、前記他の視聴デバイスに対してデバイス切換非許可を送信する請求項７記載の視聴デバイス。
【請求項９】
宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるマルチメディアコンテンツ提供方法であって、
前記ホームコンテンツサーバが、前記第１の視聴デバイスからデバイス切換要求を受信した際に前記第２の視聴デバイスに対してコンテンツ送信要求を送信するステップと、
前記ホームコンテンツサーバが、送信した前記コンテンツ送信要求に対する応答として前記第２の視聴デバイスからコンテンツ送信許可及び前記第２の視聴デバイスのデバイス情報を受信するステップと、
前記ホームコンテンツサーバが、前記コンテンツ送信許可及び前記デバイス情報を受信した際に、前記第１の視聴デバイスから前記第２の視聴デバイスに前記コンテンツの配信を切り換えるステップと、
受信した前記デバイス情報に基づいて前記送信部で送信する前記コンテンツのパラメータを変更するステップと、
前記パラメータを変更した前記コンテンツを前記ホームコンテンツサーバから前記第２の視聴デバイスへ送信するステップと、
を具備することを特徴とするマルチメディアコンテンツ提供方法。
【請求項１０】
宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるマルチメディアコンテンツ提供方法であって、
前記ホームコンテンツサーバが、前記第２の視聴デバイスからコンテンツ送信要求及び前記第２の視聴デバイスのデバイス情報を受信するステップと、
前記ホームコンテンツサーバが、前記コンテンツ送信要求及び前記デバイス情報を受信した場合に、前記第１の視聴デバイスから前記第２の視聴デバイスに前記コンテンツの配信を切り換えるステップと、
前記ホームコンテンツサーバが、受信した前記デバイス情報に基づいて前記コンテンツのパラメータを変更するステップと、
前記パラメータを変更した前記コンテンツを前記ホームコンテンツサーバから前記第２の視聴デバイスへ送信するステップと、
を具備することを特徴とするマルチメディアコンテンツ提供方法。
【請求項１１】
宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおけるマルチメディアコンテンツ受信方法であって、
前記視聴デバイスが、コンテンツ送信要求を受信した場合に、前記コンテンツ送信要求による要求を許可または拒否するステップと、
前記要求を許可した場合または前記コンテンツ送信要求を受信してから所定時間経過した場合に、コンテンツ送信許可及び前記視聴デバイスのデバイス情報を前記視聴デバイスから前記ホームコンテンツサーバへ送信するステップと、
前記視聴デバイスが、送信した前記デバイス情報に応じてパラメータを変更した前記コンテンツを前記ホームコンテンツサーバから受信するステップと、
を具備することを特徴とするマルチメディアコンテンツ受信方法。
【請求項１２】
宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおけるマルチメディアコンテンツ受信方法であって、
第１の視聴デバイスが、第２の視聴デバイスからデバイス切換要求を受信した場合に、受信した前記デバイス切換要求による要求を許可または拒否するステップと、
前記要求を許可した場合または前記デバイス切換要求を受信してから所定時間経過した場合に、コンテンツ送信要求及び前記第１の視聴デバイスのデバイス情報を前記第１の視聴デバイスから前記ホームコンテンツサーバへ送信するステップと、
前記第１の視聴デバイスが、送信した前記デバイス情報に応じてパラメータを変更した前記コンテンツを前記ホームコンテンツサーバから受信するステップと、
を具備することを特徴とするマルチメディアコンテンツ受信方法。
【手続補正２】
【補正対象書類名】明細書
【補正対象項目名】００１０
【補正方法】変更
【補正の内容】
【００１０】
第１の発明によるマルチメディアコンテンツ提供システムは、宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムであって、前記第１の視聴デバイスは、前記ホームコンテンツサーバから前記コンテンツを受信する受信部と、受信した前記コンテンツの再生中に前記ホームコンテンツサーバに対してデバイス切換要求を送信する送信部と、を具備し、前記ホームコンテンツサーバは、コンテンツを送信するとともに、前記デバイス切換要求を受信した際に前記第２の視聴デバイスに対してコンテンツ送信要求を送信する送信部と、送信した前記コンテンツ送信要求に対する応答として前記第２の視聴デバイスからコンテンツ送信許可及び前記第２の視聴デバイスのデバイス情報を受信する受信部と、前記コンテンツ送信許可及び前記デバイス情報を受信した際に、前記第１の視聴デバイスから前記第２の視聴デバイスに前記コンテンツの配信を切り換える接続デバイス切換部と、受信した前記デバイス情報に基づいて前記送信部で送信する前記コンテンツのパラメータを変更するコンテンツパラメータ制御部と、を具備し、前記第２の視聴デバイスは、前記コンテンツ送信要求及び前記パラメータを変更した前記コンテンツを受信する受信部と、受信した前記コンテンツ送信要求による要求を許可する場合または前記コンテンツ送信要求を受信してから所定時間経過した場合に、前記コンテンツ送信許可及び前記デバイス情報を送信する送信部と、を具備する構成を採る。
【手続補正３】
【補正対象書類名】明細書
【補正対象項目名】００１２
【補正方法】変更
【補正の内容】
【００１２】
第２の発明によるマルチメディアコンテンツ提供システムは、宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムであって、前記第１の視聴デバイスは、前記ホームコンテンツサーバから前記コンテンツを受信する受信部と、受信した前記コンテンツの再生中に前記第２の視聴デバイスに対してデバイス切換要求を送信する送信部と、を具備し、前記ホームコンテンツサーバは、前記第２の視聴デバイスから送信されたコンテンツ送信要求及び前記第２の視聴デバイスのデバイス情報を受信した際に、前記第１の視聴デバイスから前記第２の視聴デバイスに前記コンテンツの配信を切り換える接続デバイス切換部と、受信した前記デバイス情報に基づいて前記コンテンツのパラメータを変更するコンテンツパラメータ制御部と、前記接続デバイス切換部で切り換えた前記第２の視聴デバイスに対して前記パラメータを変更した前記コンテンツを送信する送信部と、を具備し、前記第２の視聴デバイスは、前記デバイス切換要求を受信するとともに前記パラメータを変更した前記コンテンツを受信する受信部と、受信した前記デバイス切換要求による要求を許可する場合または前記デバイス切換要求を受信してから所定時間経過した場合に、前記コンテンツ送信要求及び前記デバイス情報を送信する送信部と、を具備する構成を採る。
【手続補正４】
【補正対象書類名】明細書
【補正対象項目名】００１４
【補正方法】変更
【補正の内容】
【００１４】
第３の発明によるホームコンテンツサーバは、宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるホームコンテンツサーバであって、コンテンツを送信するとともに、前記第１の視聴デバイスからデバイス切換要求を受信した際に前記第２の視聴デバイスに対してコンテンツ送信要求を送信する送信部と、送信した前記コンテンツ送信要求に対する応答として前記第２の視聴デバイスからコンテンツ送信許可及び前記第２の視聴デバイスのデバイス情報を受信する受信部と、前記コンテンツ送信許可及び前記デバイス情報を受信した際に、前記第１の視聴デバイスから前記第２の視聴デバイスに前記コンテンツの配信を切り換える接続デバイス切換部と、受信した前記デバイス情報に基づいて前記送信部で送信する前記コンテンツのパラメータを変更するコンテンツパラメータ制御部と、を具備する構成を採る。
【手続補正５】
【補正対象書類名】明細書
【補正対象項目名】００１６
【補正方法】変更
【補正の内容】
【００１６】
第４の発明によるホームコンテンツサーバは、宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるホームコンテンツサーバであって、前記第２の視聴デバイスからコンテンツ送信要求及び前記第２の視聴デバイスのデバイス情報を受信する受信部と、前記コンテンツ送信要求及び前記デバイス情報を受信した場合に、前記第１の視聴デバイスから前記第２の視聴デバイスに前記コンテンツの配信を切り換える接続デバイス切換部と、受信した前記デバイス情報に基づいて前記コンテンツのパラメータを変更するコンテンツパラメータ制御部と、前記接続デバイス切換部で切り換えた前記第２の視聴デバイスに対して、前記パラメータを変更した前記コンテンツを送信する送信部と、を具備する構成を採る。
【手続補正６】
【補正対象書類名】明細書
【補正対象項目名】００１８
【補正方法】変更
【補正の内容】
【００１８】
第５の発明による視聴デバイスは、宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおける視聴デバイスであって、コンテンツ送信要求を受信した場合に、前記コンテンツ送信要求による要求を許可または拒否する判断手段と、前記判断手段で前記要求を許可した場合または前記コンテンツ送信要求を受信してから所定時間経過した場合に、前記ホームコンテンツサーバに対してコンテンツ送信許可及び前記視聴デバイスのデバイス情報を送信する送信部と、前記コンテンツ送信要求を受信するとともに、送信した前記デバイス情報に応じてパラメータを変更した前記コンテンツを前記ホームコンテンツサーバから受信する受信部と、を具備する構成を採る。
【手続補正７】
【補正対象書類名】明細書
【補正対象項目名】００２０
【補正方法】変更
【補正の内容】
【００２０】
第６の発明による視聴デバイスは、宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおける視聴デバイスであって、他の視聴デバイスからデバイス切換要求を受信した場合に、受信した前記デバイス切換要求による要求を許可または拒否する判断手段と、前記判断手段で前記要求を許可した場合または前記デバイス切換要求を受信してから所定時間経過した場合に、前記ホームコンテンツサーバに対してコンテンツ送信要求及び自装置のデバイス情報を送信する送信部と、他の視聴デバイスから前記デバイス切換要求を受信するとともに、送信した前記デバイス情報に応じてパラメータを変更した前記コンテンツを前記ホームコンテンツサーバから受信する受信部と、を具備する構成を採る。
【手続補正８】
【補正対象書類名】明細書
【補正対象項目名】００２１
【補正方法】変更
【補正の内容】
【００２１】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
第７の発明によるマルチメディアコンテンツ提供方法は、宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるマルチメディアコンテンツ提供方法であって、前記ホームコンテンツサーバが、前記第１の視聴デバイスからデバイス切換要求を受信した際に前記第２の視聴デバイスに対してコンテンツ送信要求を送信するステップと、前記ホームコンテンツサーバが、送信した前記コンテンツ送信要求に対する応答として前記第２の視聴デバイスからコンテンツ送信許可及び前記第２の視聴デバイスのデバイス情報を受信するステップと、前記ホームコンテンツサーバが、前記コンテンツ送信許可及び前記デバイス情報を受信した際に、前記第１の視聴デバイスから前記第２の視聴デバイスに前記コンテンツの配信を切り換えるステップと、受信した前記デバイス情報に基づいて前記送信部で送信する前記コンテンツのパラメータを変更するステップと、前記パラメータを変更した前記コンテンツを前記ホームコンテンツサーバから前記第２の視聴デバイスへ送信するステップと、を具備するようにした。
この方法によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
第８の発明によるマルチメディアコンテンツ提供方法は、宅内に設置されマルチメディアのコンテンツを蓄積したホームコンテンツサーバと、前記ホームコンテンツサーバから配信される前記コンテンツを再生する第１の視聴デバイスと、前記ホームコンテンツサーバから配信される前記コンテンツを再生する第２の視聴デバイスと、を具備するマルチメディアコンテンツ提供システムにおけるマルチメディアコンテンツ提供方法であって、前記ホームコンテンツサーバが、前記第２の視聴デバイスからコンテンツ送信要求及び前記第２の視聴デバイスのデバイス情報を受信するステップと、前記ホームコンテンツサーバが、前記コンテンツ送信要求及び前記デバイス情報を受信した場合に、前記第１の視聴デバイスから前記第２の視聴デバイスに前記コンテンツの配信を切り換えるステップと、前記ホームコンテンツサーバが、受信した前記デバイス情報に基づいて前記コンテンツのパラメータを変更するステップと、前記パラメータを変更した前記コンテンツを前記ホームコンテンツサーバから前記第２の視聴デバイスへ送信するステップと、を具備するようにした。
この方法によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
第９の発明によるマルチメディアコンテンツ受信方法は、宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおけるマルチメディアコンテンツ受信方法であって、前記視聴デバイスが、コンテンツ送信要求を受信した場合に、前記コンテンツ送信要求による要求を許可または拒否するステップと、前記要求を許可した場合または前記コンテンツ送信要求を受信してから所定時間経過した場合に、コンテンツ送信許可及び前記視聴デバイスのデバイス情報を前記視聴デバイスから前記ホームコンテンツサーバへ送信するステップと、前記視聴デバイスが、送信した前記デバイス情報に応じてパラメータを変更した前記コンテンツを前記ホームコンテンツサーバから受信するステップと、を具備するようにした。
この方法によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
第１０の発明によるマルチメディアコンテンツ受信方法は、宅内に設置されマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムにおけるマルチメディアコンテンツ受信方法であって、第１の視聴デバイスが、第２の視聴デバイスからデバイス切換要求を受信した場合に、受信した前記デバイス切換要求による要求を許可または拒否するステップと、前記要求を許可した場合または前記デバイス切換要求を受信してから所定時間経過した場合に、コンテンツ送信要求及び前記第１の視聴デバイスのデバイス情報を前記第１の視聴デバイスから前記ホームコンテンツサーバへ送信するステップと、前記第１の視聴デバイスが、送信した前記デバイス情報に応じてパラメータを変更した前記コンテンツを前記ホームコンテンツサーバから受信するステップと、を具備するようにした。
この方法によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。